(57)【特許請求の範囲】
【請求項１】
電荷を蓄えることが可能な蓄電装置であって、
電荷を蓄える蓄電部と、前記蓄電部を収容する内容器と、前記蓄電部に接続されて前記内容器の外部に露出する一対の電極端子と、を有する電気二重層キャパシタと、
前記電気二重層キャパシタを収容する収容室が画成され、前記電気二重層キャパシタの外周面のうち最も大きな面積に形成される平面部に臨んで開口部が形成され、前記電気二重層キャパシタの前記電極端子が貫通して外部に突出する外容器と、
前記外容器に取り付けられ、前記開口部を閉塞するとともに前記平面部に当接するサイドカバーと、
前記外容器の外部に設けられ、前記電極端子を連結して複数の前記電気二重層キャパシタを直列又は並列に接続するバスバーと、
前記外容器に取り付けられ、前記バスバーを覆って前記外容器との間に電極室を画成する電極カバーと、を備え、
前記サイドカバーは、前記外容器に取り付けられたときに前記平面部を押圧する押圧部を有し、
前記電気二重層キャパシタは、前記平面部が面一となるように複数並べて設けられ、
前記外容器は、隣り合う前記電気二重層キャパシタの間を仕切り各々の前記電気二重層キャパシタが収容される前記収容室を区画する仕切板を有することを特徴とする蓄電装置。
【請求項２】
電荷を蓄えることが可能な蓄電装置であって、
電荷を蓄える蓄電部と、前記蓄電部を収容する内容器と、前記蓄電部に接続されて前記内容器の外部に露出する一対の電極端子と、を有する電気二重層キャパシタと、
前記電気二重層キャパシタを収容する収容室が画成され、前記電気二重層キャパシタの外周面のうち最も大きな面積に形成される平面部に臨んで開口部が形成される外容器と、
前記外容器に取り付けられ、前記開口部を閉塞するとともに前記平面部に当接するサイドカバーと、
前記外容器の外部に設けられ、前記外容器を貫通して前記収容室内に突出する突出端子部を有し、前記電極端子を連結して複数の前記電気二重層キャパシタを直列又は並列に接続するバスバーと、
前記外容器に取り付けられ、前記バスバーを覆って前記外容器との間に電極室を画成する電極カバーと、
前記外容器の内部と前記電気二重層キャパシタとの間に設けられ、前記電気二重層キャパシタを前記突出端子部に向けて付勢し、前記電極端子を前記突出端子部に押し付ける付勢部材と、を備え、
前記サイドカバーは、前記外容器に取り付けられたときに前記平面部を押圧する押圧部を有し、
前記電気二重層キャパシタは、前記平面部が面一となるように複数並べて設けられ、
前記外容器は、隣り合う前記電気二重層キャパシタの間を仕切り各々の前記電気二重層キャパシタが収容される前記収容室を区画する仕切板を有することを特徴とする蓄電装置。
【請求項３】
前記開口部は、前記外容器の対向する一対の面に各々形成され、
前記収容室には、複数の前記電気二重層キャパシタが積層して収容され、
前記サイドカバーは、前記外容器の対向する一対の面に各々取り付けられて各々の前記開口部に臨む前記平面部に当接することを特徴とする請求項１又は２に記載の蓄電装置。
【請求項４】
前記開口部は、前記外容器の単一の面にのみ形成され、
前記収容室には、複数の前記電気二重層キャパシタが積層して収容され、
前記サイドカバーは、前記外容器の単一の面に取り付けられて前記開口部に臨む前記平面部に当接することを特徴とする請求項１又は２に記載の蓄電装置。
【請求項５】
前記サイドカバーは、板状に形成され、
前記押圧部は、前記サイドカバーの一部が突出して形成される突出部であることを特徴とする請求項１から４のいずれか一つに記載の蓄電装置。
【請求項６】
前記サイドカバーは、
平板状に形成される平板部と、
前記平板部と前記電気二重層キャパシタの前記平面部との間に設けられる伝熱シートと、を有し、
前記収容部の奥行きは、前記電気二重層キャパシタと前記伝熱シートとを合わせた厚さと比較して小さく形成され、前記伝熱シートが前記押圧部を構成することを特徴とする請求項１から４のいずれか一つに記載の蓄電装置。
【請求項７】
前記電極室には、複数の前記電気二重層キャパシタ間の電圧が一定となるように制御する制御基板が収容されることを特徴とする請求項１から６のいずれか一つに記載の蓄電装置。
【発明の詳細な説明】
【技術分野】
【０００１】
本発明は、電荷を蓄えることが可能な蓄電装置に関するものである。
【背景技術】
【０００２】
従来から、電気二重層キャパシタ（以下、単に「キャパシタ」と称する。）を用いた蓄電装置が使用されている。キャパシタは、充放電に伴い発熱するため、内部に熱が溜まらないように外部へ放熱する必要がある。特許文献１には、複数のキャパシタが薄手方向に積層され、その側面に放熱板が取り付けられた蓄電装置が開示されている。
【０００３】
また、一般に、キャパシタを用いる際には、その性能を保つために適切な圧力で押圧しておく必要がある。特許文献２には、積層された複数のキャパシタと直列に空気ばねを設け、空気ばね内に空気を圧送してキャパシタを押圧する加圧機構を備える蓄電装置が開示されている。
【先行技術文献】
【特許文献】
【０００４】
【特許文献１】特開２００５−５７００７号公報
【特許文献２】特開平３−２０３３１１号公報
【発明の概要】
【発明が解決しようとする課題】
【０００５】
しかしながら、特許文献１の蓄電装置では、積層されたキャパシタの側面から放熱するため、キャパシタの表面積に対して放熱に供される面積が小さく、放熱性を高くすることが困難であった。また、特許文献２の蓄電装置では、加圧機構が複雑であるため、小型軽量化が困難であった。
【０００６】
本発明は、上記の問題点に鑑みてなされたものであり、簡素な構成でキャパシタを押圧可能とするとともに、キャパシタの放熱性を向上することを目的とする。
【課題を解決するための手段】
【０００７】
本発明は、電荷を蓄えることが可能な蓄電装置であって、電荷を蓄える蓄電部と、前記蓄電部を収容する内容器と、前記蓄電部に接続されて前記内容器の外部に露出する一対の電極端子と、を有する電気二重層キャパシタと、前記電気二重層キャパシタを収容する収容室が画成され、前記電気二重層キャパシタの外周面のうち最も大きな面積に形成される平面部に臨んで開口部が形成され、前記電気二重層キャパシタの前記電極端子が貫通して外部に突出する外容器と、前記外容器に取り付けられ、前記開口部を閉塞するとともに前記平面部に当接するサイドカバーと、前記外容器の外部に設けられ、前記電極端子を連結して複数の前記電気二重層キャパシタを直列又は並列に接続するバスバーと、前記外容器に取り付けられ、前記バスバーを覆って前記外容器との間に電極室を画成する電極カバーと、を備え、前記サイドカバーは、前記外容器に取り付けられたときに前記平面部を押圧する押圧部を有し、前記電気二重層キャパシタは、前記平面部が面一となるように複数並べて設けられ、前記外容器は、隣り合う前記電気二重層キャパシタの間を仕切り各々の前記電気二重層キャパシタが収容される前記収容室を区画する仕切板を有することを特徴とする。
また、本発明の別の態様は、電荷を蓄えることが可能な蓄電装置であって、電荷を蓄える蓄電部と、前記蓄電部を収容する内容器と、前記蓄電部に接続されて前記内容器の外部に露出する一対の電極端子と、を有する電気二重層キャパシタと、前記電気二重層キャパシタを収容する収容室が画成され、前記電気二重層キャパシタの外周面のうち最も大きな面積に形成される平面部に臨んで開口部が形成される外容器と、前記外容器に取り付けられ、前記開口部を閉塞するとともに前記平面部に当接するサイドカバーと、前記外容器の外部に設けられ、前記外容器を貫通して前記収容室内に突出する突出端子部を有し、前記電極端子を連結して複数の前記電気二重層キャパシタを直列又は並列に接続するバスバーと、前記外容器に取り付けられ、前記バスバーを覆って前記外容器との間に電極室を画成する電極カバーと、前記外容器の内部と前記電気二重層キャパシタとの間に設けられ、前記電気二重層キャパシタを前記突出端子部に向けて付勢し、前記電極端子を前記突出端子部に押し付ける付勢部材と、を備え、前記サイドカバーは、前記外容器に取り付けられたときに前記平面部を押圧する押圧部を有し、前記電気二重層キャパシタは、前記平面部が面一となるように複数並べて設けられ、前記外容器は、隣り合う前記電気二重層キャパシタの間を仕切り各々の前記電気二重層キャパシタが収容される前記収容室を区画する仕切板を有することを特徴とする。
【発明の効果】
【０００８】
本発明では、電気二重層キャパシタの外周面のうち最も大きな面積に形成される平面部に当接するサイドカバーを介して、電気二重層キャパシタの内部から外部へ放熱する。また、サイドカバーには、電気二重層キャパシタの平面部を押圧する押圧部が設けられるため、外容器にサイドカバーを取り付けるだけで電気二重層キャパシタを押圧することができる。したがって、簡素な構成で電気二重層キャパシタを押圧できるとともに、電気二重層キャパシタの放熱性を向上することができる。
【図面の簡単な説明】
【０００９】
【図１】本発明の第一の実施の形態に係る蓄電装置の分解斜視図である。
【図２】（ａ）は、図１における断面図であり、（ｂ）は、図１に示す蓄電装置の変形例に係る断面図である。
【図３】本発明の第一の実施の形態に係る蓄電装置のバスバーについて説明する斜視図である。
【図４】本発明の第一の実施の形態に係る蓄電装置の制御基板について説明する斜視図である。
【図５】本発明の第二の実施の形態に係る蓄電装置の分解斜視図である。
【図６】本発明の第二の実施の形態に係る蓄電装置の斜視図である。
【図７】本発明の第三の実施の形態に係る蓄電装置のサイドカバーを外した状態を示す斜視図である。
【図８】図７における側面図である。
【図９】（ａ）は、図８におけるＡ−Ａ断面図であり、（ｂ）は、図８に示す蓄電装置の変形例に係るＡ−Ａ断面図である。
【発明を実施するための形態】
【００１０】
以下、図面を参照して、本発明の実施の形態について説明する。
【００１１】
（第一の実施の形態）
以下、図１から図４を参照して、本発明の第一の実施の形態に係る蓄電装置１００について説明する。
【００１２】
まず、図１及び図２を参照して、蓄電装置１００の全体構成について説明する。
【００１３】
蓄電装置１００は、充放電可能に電荷を蓄えることが可能なものである。蓄電装置１００は、図１に示すように、複数の電気二重層キャパシタ（以下、単に「キャパシタ」と称する。）１と、キャパシタ１を収容する複数の収容室１１が画成される外容器１０と、外容器１０の両側面に取り付けられるサイドカバー２０と、外容器１０の上面に取り付けられて内部に電極室３１を画成する電極カバー３０とを備える。
【００１４】
キャパシタ１は、電荷を蓄える蓄電部（図示省略）と、蓄電部を収容する内容器２と、蓄電部に接続されて内容器２の外部に露出する一対の電極端子３とを有する。
【００１５】
蓄電部は、複数の正極集電極と負極集電極とがセパレータを介して交互に積層されて形成される積層体である。正極集電極及び負極集電極は、アルミニウムの薄板である集電箔と、集電箔の表面に設けられる活性炭などの活物質とからなる。
【００１６】
蓄電部は、電解液とともに内容器２内に収容される。キャパシタ１は、正極集電極と負極集電極との間に充填された電解液のイオンが電気二重層を構成し、電極端子３を介して充放電可能に電荷を蓄えるものである。
【００１７】
内容器２は、金属層と樹脂層とを有するラミネートフィルムによって形成される。内容器２は、対向して一対設けられる矩形のラミネートフィルムの外周縁が互いに熱溶着されて形成される。ラミネートフィルムに代えて、樹脂などの非導電材料によって直方体形状に形成されるハードケースを内容器２として用いてもよい。また、アルミニウムのハードケースを内容器２として用いてもよい。この場合、アルミニウムのハードケースと電極端子３との間の絶縁処理を行う必要がある。
【００１８】
電極端子３は、内容器２の同一の辺から引き出される一対の矩形の金属板である。一方の電極端子３は、蓄電部の正極集電極に接続され、他方の電極端子３は、蓄電部の負極集電極に接続される。電極端子３は、外容器１０の上面を貫通し、電極カバー３０内の電極室３１に突出する。
【００１９】
外容器１０は、樹脂などの非導電材料によって直方体形状に形成される。外容器１０は、その側面に開口部１２が開口する複数の収容室１１を有する。
【００２０】
外容器１０内には、複数のキャパシタ１が、平面部２ａが面一となるように並べて設けられる。外容器１０は、隣り合うキャパシタ１の間を仕切り各々のキャパシタ１が収容される収容室１１を区画する仕切板１５を有する。蓄電装置１００では、外容器１０は二つの仕切板１５を有する。
【００２１】
外容器１０内には、図２（ａ）に示すように、複数のキャパシタ１が積層して収容される。外容器１０は、キャパシタ１の積層方向における中央に形成されてキャパシタ１が二個ずつ収容される一対の収容室１１を区画する仕切板１６を更に有する。各々の収容室１１には、複数のキャパシタ１が積層して収容される。本実施の形態では、各々の収容室１１には、キャパシタ１が二個ずつ積層して収容される。
【００２２】
以上のように、外容器１０は、仕切板１５と仕切板１６とによって画成される六個の収容室１１を有する。これらの収容室１１は、仕切板１５と仕切板１６とによって区画されているため、万が一、ひとつの収容室１１に収容されたキャパシタ１から液漏れが発生しても、漏出した電解液が他の収容室１１に流出することを防止できる。
【００２３】
なお、一つの収容室１１に一個のキャパシタ１が収容されるように構成してもよい。また、一つの収容室１１内に積層されるキャパシタ１の数は、二個に限られるものではないが、キャパシタ１の放熱性を考慮すると、最大でも三個までであることが望ましい。
【００２４】
収容室１１は、キャパシタ１の内容器２の外周面のうち最も大きな面積に形成される平面部２ａに臨んで開口する開口部１２を有する。キャパシタ１の平面部２ａは、内容器２がラミネートフィルムの場合には、対向する一対の平面であり、内容器２がハードケースの場合には、対向する三組の面のうち最も大きな面積に形成される一対の平面である。
【００２５】
開口部１２は、外容器１０における対向する一対の面に各々形成される。本実施の形態では、開口部１２は、収容室１１に対応して、外容器１０の両側面に三個ずつ形成される。
【００２６】
サイドカバー２０は、外容器１０の側面と略同一の大きさの板状に形状される矩形の金属板である。サイドカバー２０は、複数のビス２５が締結されることによって外容器１０に固定される。複数のビス２５に代えて、サイドカバー２０を接着剤によって外容器１０に固定してもよい。サイドカバー２０と外容器１０の側面との間は、シール剤などによってシールされる。
【００２７】
サイドカバー２０は、外容器１０に取り付けられたときにキャパシタ１の平面部２ａを押圧する押圧部２１を有する。サイドカバー２０には、例えば、プレス加工によって押圧部２１が形成される。
【００２８】
サイドカバー２０は、外容器１０に取り付けられ、開口部１２を閉塞する。サイドカバー２０は、外容器１０の対向する一対の面に各々取り付けられる。サイドカバー２０が取り付けられると、収容室１１が閉塞される。これにより、収容室１１に外部からの異物が侵入してキャパシタ１の電極端子３などに付着することが防止される。したがって、蓄電装置１００の信頼性及び安全性を向上できる。
【００２９】
また、万が一、収容室１１に収容されたキャパシタ１から液漏れが発生しても、漏出した電解液が外容器１０の外部に流出することを防止できる。
【００３０】
サイドカバー２０は、熱伝導率の高い金属で形成される。サイドカバー２０は、キャパシタ１の外周面のうち最も面積の大きな平面部２ａと当接するため、キャパシタ１の外周面のうち放熱に供される面積を大きくできる。したがって、キャパシタ１の放熱性を向上することができる。
【００３１】
押圧部２１は、各々の開口部１２に臨むキャパシタ１の平面部２ａに当接する。押圧部２１は、サイドカバー２０の一部が突出して形成される突出部である。押圧部２１は、図２に示すように、キャパシタ１の平面部２ａに向けて突出して形成される。
【００３２】
これにより、外容器１０にサイドカバー２０を取り付けるだけで、キャパシタ１を押圧することができる。したがって、簡素な構成でキャパシタ１を加圧して、キャパシタ１の性能を保つことができる。
【００３３】
また、サイドカバー２０は金属板であるため、押圧部２１は、突出方向に弾性を有する。よって、キャパシタ１が充放電に伴って膨縮しても、膨縮に伴う寸法の変化を吸収することができる。
【００３４】
なお、図２（ｂ）に示すように、収容室１１を、開口部１２が外容器１０の単一の面にのみ開口するように形成してもよい。収容室１１は、開口部１２が開口する凹状に形成される。収容室１１には、複数の電気二重層キャパシタ１が積層して収容される。この場合、サイドカバー２０は、外容器１０の単一の面に取り付けられ、開口部１２に臨む電気二重層キャパシタ１の平面部２ａに当接することとなる。
【００３５】
次に、図３及び図４を参照して、バスバー３２及び制御基板３３について説明する。
【００３６】
蓄電装置１００は、電極端子３を連結して複数のキャパシタ１を直列又は並列に接続するバスバー３２と、複数のキャパシタ１間の電圧が一定となるように制御する制御基板３３とを備える。
【００３７】
バスバー３２は、図３に示すように、同じ収容室１１に収容される一対のキャパシタ１の電極端子３どうしを並列に接続し、隣り合うキャパシタ１の電極端子３どうしを直列に接続する金属材である。バスバー３２は、電極端子３と溶接されて連結される。溶接に代えて、バスバー３２と電極端子３とを、ボルトとナットとによって締結してもよい。
【００３８】
蓄電装置１００は、十二個のキャパシタ１がバスバー３２によって二並列六直列に接続されてなるものである。この他にも、バスバー３２の形状を変更して連結される電極端子３の組み合わせを変更することで、所望の並列数及び直列数とすることが可能である。
【００３９】
バスバー３２の一対の端部３２ａは、外部電極端子４０に各々連結される。具体的には、バスバー３２の一方の端部３２ａが外部正極端子４０ａに連結され、他方の端部３２ｂが外部負極端子４０ｂに連結される。これにより、蓄電装置１００の外部には、外部電極端子４０のみが露出することとなる。
【００４０】
制御基板３３は、図４に示すように、バスバー３２の上部に取り付けられる矩形の電子基板である。制御基板３３は、キャパシタ１の過充電を防止し、それぞれのキャパシタ１間の電圧を均等化するための電子回路を有する。
【００４１】
バスバー３２と制御基板３３とは、図１に示すように、電極カバー３０によって覆われて電極室３１に収容される。電極カバー３０と外容器１０の上面との間は、シール剤などによってシールされる。これにより、外部からの異物が侵入してバスバー３２や制御基板３３に付着することが防止される。したがって、蓄電装置１００の信頼性及び安全性を向上できる。
【００４２】
以上の第一の実施の形態によれば、以下に示す効果を奏する。
【００４３】
キャパシタ１の外周面のうち最も大きな面積に形成される平面部２ａに当接するサイドカバー２０を介して、キャパシタ１の内部から外部へ放熱する。また、サイドカバー２０には、キャパシタ１の平面部２ａを押圧する押圧部２１が設けられるため、外容器１０にサイドカバー２０を取り付けるだけでキャパシタ１を押圧することができる。したがって、簡素な構成でキャパシタ１を加圧できるとともに、キャパシタ１の放熱性を向上することができる。
【００４４】
また、キャパシタ１を収容する収容室１１は、外容器１０とサイドカバー２０とによって閉塞され、バスバー３２と制御基板３３とが収容される電極室３１は、電極カバー３０によって閉塞される。このように、蓄電装置１００の内部は、外容器１０とサイドカバー２０と電極カバー３０とによって密閉される。したがって、蓄電装置１００内に外部からの異物が侵入することを防止できるため、蓄電装置１００の信頼性を向上できる。
【００４５】
（第二の実施の形態）
以下、図５及び図６を参照して、本発明の第二の実施の形態に係る蓄電装置２００について説明する。なお、以下に示す各実施の形態では、前述した実施の形態と同様の構成には同一の符号を付し、重複する説明は適宜省略する。
【００４６】
蓄電装置２００は、サイドカバー２２０が、別体に形成される平板部２２１と伝熱シート２２２とを有する点で、前述した実施の形態とは相違する。
【００４７】
サイドカバー２２０は、図５に示すように、平板状に形成される平板部２２１と、平板部２２１とキャパシタ１の平面部２ａとの間に設けられる伝熱シート２２２と、平板部２２１と外容器１０との間をシールするシール材２２３とを有する。
【００４８】
平板部２２１は、外容器１０の側面と略同一の大きさに形成される矩形の板材である。平板部２２１は、熱伝導率の高い材料であればよいため、樹脂でも金属でもよい。平板部２２１は、外容器１０の対向する一対の面に各々取り付けられる。平板部２２１が取り付けられると、収容室１１の開口部１２が閉塞される。れにより、収容室１１に外部からの異物が侵入してキャパシタ１の電極端子３などに付着することが防止される。したがって、蓄電装置２００の信頼性を向上できる。
【００４９】
伝熱シート２２２は、弾性を有するシート材である。伝熱シート２２２は、熱伝導率の高い材料によって形成される。伝熱シート２２２は、キャパシタ１の平面部２ａと略同一の大きさに形成され、平面部２ａに当接する。伝熱シート２２２は、一つの収容室１１に一枚ずつ設けられる。
【００５０】
伝熱シート２２２の厚さは、収容室１１の奥行きが、積層されるキャパシタ１の厚さとの合計の厚さと比較して小さくなるように形成される。収容室１１は、仕切板１６を挟んで両側に形成されるため、外容器１０の全体の厚さは、積層されるキャパシタ１と伝熱シート２２２と仕切板１６とを合わせた厚さと比較して小さく形成される。
【００５１】
これにより、伝熱シート２２２は、平板部２２１が外容器１０に取り付けられるときに、キャパシタ１の積層方向に圧縮される。即ち、蓄電装置２００では、伝熱シート２２２が押圧部を構成することとなる。
【００５２】
これにより、外容器１０にサイドカバー２２０を取り付けるだけで、キャパシタ１を押圧することができる。したがって、簡素な構成でキャパシタ１を加圧して、キャパシタ１の性能を保つことができる。また、伝熱シート２２２は弾性を有するため、キャパシタ１が充放電に伴って膨縮しても、膨縮に伴う寸法の変化を吸収することができる。
【００５３】
シール材２２３は、平板部２２１の外周縁に沿って形成される。また、シール材２２３は、外容器１０の収容室１１の外側の外周縁に沿って形成される。シール材２２３は、図６に示すように、平板部２２１が外容器１０に取り付けられると、外容器１０の側面と平板部２２１との間に圧縮されて固定される。
【００５４】
このように、外容器１０の側面と平板部２２１との間にシール材２２３が設けられることで、外容器１０の収容室１１が閉塞される。これにより、収容室１１に外部からの異物が侵入してキャパシタ１の電極端子３などに付着することが防止される。したがって、蓄電装置１００の信頼性及び安全性を向上できる。
【００５５】
また、万が一、収容室１１に収容されたキャパシタ１から液漏れが発生しても、漏出した電解液が外容器１０の外部に流出することを防止できる。
【００５６】
以上の第二の実施の形態によれば、第一の実施の形態と同様に、簡素な構成でキャパシタ１を加圧できるとともに、キャパシタ１の放熱性を向上することができる。また、蓄電装置２００内に外部からの異物が侵入することを防止できるため、蓄電装置２００の信頼性を向上できる。
【００５７】
（第三の実施の形態）
以下、図７から図９を参照して、本発明の第三の実施の形態に係る蓄電装置３００について説明する。
【００５８】
蓄電装置３００は、キャパシタ３０１をバスバー３３２に向けて押し付けてキャパシタ３０１の電極端子３０３とバスバー３３２とを接続する点で、前述した実施の形態とは相違する。
【００５９】
キャパシタ３０１は、電荷を蓄える蓄電部（図示省略）と、蓄電部を収容する内容器３０２と、蓄電部に接続されて内容器３０２の外部に露出する一対の電極端子３０３とを有する。
【００６０】
内容器３０２は、樹脂などの非導電材料によって直方体形状に形成されるハードケースである。
【００６１】
電極端子３０３は、内容器３０２の同一の辺から引き出される一対の円柱状の金属部材である。一方の電極端子３０３は、蓄電部の正極集電極に接続され、他方の電極端子３０３は、蓄電部の負極集電極に接続される。電極端子３０３は、第一及び第二の実施の形態における電極端子３とは異なり、図８に示すように、外容器１０の上面を貫通せずに収容室１１内に収容される。
【００６２】
バスバー３３２は、電極端子３０３を連結して複数のキャパシタ３０１を直列又は並列に接続するものである。バスバー３３２は、図７に示すように、同じ収容室１１に収容される一対のキャパシタ３０１の電極端子３０３どうしを並列に接続し、隣り合うキャパシタ３０１の電極端子３０３どうしを直列に接続する金属材である。
【００６３】
バスバー３３２は、制御基板３３とともに、電極カバー３０によって覆われて電極室３１に収容される。これにより、外部からの異物が侵入してバスバー３３２や制御基板３３に付着することが防止される。したがって、蓄電装置１００の信頼性及び安全性を向上できる。
【００６４】
バスバー３３２は、図８に示すように、外容器１０の上面を貫通して収容室１１内に突出する突出端子部３３２ａを有する。突出端子部３３２ａは、キャパシタ３０１の電極端子３０３と当接可能なように、円柱状に形成される。バスバー３３２は、外容器１０の上面に突出端子部３３２ａが貫通するように取り付けられるが、これに限らず、外容器１０にバスバー３３２をインサート成形してもよい。
【００６５】
蓄電装置３００は、外容器１０の内部とキャパシタ３０１との間に設けられてキャパシタ３０１を突出端子部３３２ａに向けて付勢する付勢部材としての板ばね３１５を備える。
【００６６】
板ばね３１５は、収容室１１内に設けられ、キャパシタ３０１の内容器３０２の下面との間に設けられる。板ばね３１５は、キャパシタ３０１を上方に向けて付勢し、電極端子３０３を突出端子部３３２ａに押し付ける。これにより、キャパシタ３０１を板ばね３１５とともに収容室１１内に収容するだけで、電極端子３０３とバスバー３３２とを接続することができる。よって、収容室１１内に電極端子３０３とバスバー３３２とを溶接したりボルトとナットとによって締結する必要はない。したがって、電極端子３０３とバスバー３３２との接続構造を簡素化することができる。
【００６７】
なお、図９（ｂ）に示すように、板ばね３１５に代えて、コイルばね３１６を付勢部材として用いてもよい。このように、付勢部材は、キャパシタ３０１をバスバー３３２の突出端子部３３２ａに向けて付勢可能であれば、どのような部材であってもよい。
【００６８】
また、蓄電装置３００では、外容器１０の両側面には、第一の実施の形態におけるサイドカバー２０と第二の実施の形態におけるサイドカバー２２０とのいずれかが取り付けられる。これにより、第一及び第二の実施の形態と同様に、簡素な構成でキャパシタ３０１を加圧できるとともに、キャパシタ３０１の放熱性を向上することができる。また、蓄電装置３００内に外部からの異物が侵入することを防止できるため、蓄電装置３００の信頼性及び安全性を向上できる。
【００６９】
以上の第三の実施の形態によれば、キャパシタ３０１を板ばね３１５とともに収容室１１内に収容するだけで、電極端子３０３とバスバー３３２とを接続することができる。よって、収容室１１内にバスバー３３２と電極端子３０３とを溶接したりボルトとナットとによって締結する必要はない。したがって、電極端子３０３とバスバー３３２との接続構造を簡素化することができる。
【００７０】
本発明は上記の実施の形態に限定されずに、その技術的な思想の範囲内において種々の変更がなしうることは明白である。
【符号の説明】
【００７１】
１００    蓄電装置
１        キャパシタ
２ａ      平面部
３        電極端子
１０      外容器
１１      収容室
１２      開口部
１５      仕切板
２０      サイドカバー
２１      押圧部
３２      バスバー
３３      制御基板
２２０    サイドカバー
２２１    平板部
２２２    伝熱シート
３１５    板ばね（付勢部材）
３３２    バスバー
３３２ａ  突出端子部
【図１】
0005965615.tif 000002
【図２】
0005965615.tif 000003
【図３】
0005965615.tif 000004
【図４】
0005965615.tif 000005
【図５】
0005965615.tif 000006
【図６】
0005965615.tif 000007
【図７】
0005965615.tif 000008
【図８】
0005965615.tif 000009
【図９】
0005965615.tif 000010